(57)【要約】【課題】本発明は、サッシの取り替え工事の際に、工事期間中も居住者が日常生活を送れるように、居住空間に塵や埃が入り込まないように建物内から工事空間を密閉養生するためのサッシ取替施工時における居住空間への粉塵侵入防止構造体及びこれを用いたサッシ取替え防音防塵工法を提供することを課題とする。【解決手段】サッシ取替施工時に、居住空間に塵や埃が入り込まないようにサッシが取り付けられている壁面の工事空間を建物内から密閉養生するための粉塵侵入防止構造体であって、当該構造体は、床板と、床板上に立設される左右の側板と、両側板の上端に架け渡して載置した天板と、からなる枠体と、枠体の居住空間側の開口部分を塞いで居住空間に塵や埃が入り込まないようにする平板と、によって構成された粉塵侵入防止構造体及びこれを用いたサッシ取替え防音防塵工法。【選択図】図１
2014152494.tif 000002
【特許請求の範囲】
【請求項１】
サッシ取替施工時に、居住空間に塵や埃が入り込まないようにサッシが取り付けられている壁面の工事空間を建物内から密閉養生するための粉塵侵入防止構造体であって、
当該構造体は、
床板と、床板上に立設される左右の側板と、両側板の上端に架け渡して載置した天板と、からなる枠体と、
枠体の居住空間側の開口部分を塞いで居住空間に塵や埃が入り込まないようにする平板と、
によって構成されている
ことを特徴とする粉塵侵入防止構造体。
【請求項２】
サッシ取替施工時に、居住空間に塵や埃が入り込まないようにサッシが取り付けられている壁面の工事空間を建物内から密閉養生するための粉塵侵入防止構造体であって、
当該構造体は、
床板と、床板上に立設される左右の側板と、両側板の上端に架け渡して載置した天板と、からなる枠体と、
枠体の居住空間側の開口部分を塞いで居住空間に塵や埃が入り込まないようにする平板と、
によって構成されており、
壁面と枠体、枠体と平板、の各接合部分に、密閉性を高めるためのシール材が取り付けられている
ことを特徴とする粉塵侵入防止構造体。
【請求項３】
前記の床板は、床面側に、構造体の移設を容易にするためのキャスターが取り付けられている
ことを特徴とする請求項１または２に記載の粉塵侵入防止構造体。
【請求項４】
サッシ下の床部分に床板を敷設し、
床板上に左右の側板を立設し、
両側板の上端に架け渡すように天板を載置することで、
サッシが取り付けられている壁面に枠体を隙間無く設置する工程と、
枠体の居住空間側の開口部分を平板で塞ぐ工程と、
からなる
ことを特徴とする粉塵侵入防止構造体を用いたサッシ取替え防音防塵工法。
【請求項５】
床板と、床板上に立設する左右の側板と、両側板の上端に架け渡すように載置する天板の
壁面側及び居住空間側に、密閉性を高めるためのシール材を取り付ける工程と、
サッシ下の床部分に床板を敷設し、
床板上に左右の側板を立設し、
両側板の上端に架け渡すように天板を載置することで、
サッシが取り付けられている壁面に枠体を隙間無く設置する工程と、
枠体の居住空間側の開口部分を平板で塞ぐ工程と、
からなる
ことを特徴とする粉塵侵入防止構造体を用いたサッシ取替え防音防塵工法。
【発明の詳細な説明】
【技術分野】
【０００１】
本発明は、サッシの取り替え工事の際に、居住空間に塵や埃が入り込まないように建物内から工事空間を密閉養生するための粉塵侵入防止構造体及びこれを用いたサッシ取替え防音防塵工法に関する。
【背景技術】
【０００２】
従来、住宅などのサッシを取替工事するにあたっては、埃や塵が飛散して部屋が汚れてしまうため、サッシが設置されている部屋の荷物を全て別の部屋に移動し、ビニールシート等を壁や天井に適宜取り付けて養生したうえで工事を行っていた。
そのため、工事期間中、サッシの取替工事を行っている部屋で、居住者が日常生活を送ることはできなかった。
【０００３】
そこで、特許文献１には、複数の可撓性の仮設間仕切りシートを使うことで、住宅のリフォームなどの際に、居室の一定範囲を確実に区画することができる仮設間仕切りに関する考案が開示されている。
これによれば、工事空間を容易に区画できるため、工事空間外の利用が可能になる。
また、同文献１には、間仕切りシートと、天井や壁のそれぞれに、あらかじめ帯状の面ファスナーまたは磁石を取り付けておくことで、容易に貼着して取り付けられる考案も開示されている。
これによれば、間仕切りシートの設置および撤去を簡単に行うことができる。
さらに、同文献１には、一部の間仕切りシートにファスナーによって開閉自在な出入り口が設けられていることで、区画内への出入りをスムーズに行なうことが可能であると共に、出入り口に生じやすい隙間を確実に密閉することができる考案も開示されている。
【先行技術文献】
【特許文献】
【０００４】
【特許文献１】実用新案登録第３１３５７３７号公報
【発明の開示】
【発明が解決しようとする課題】
【０００５】
しかしながら、サッシの取替工事は、コンクリートを壊したり、穴を空けるなどの斫り作業が行われるが、同文献１に開示されている考案のような、面ファスナーや磁石により貼着した程度では、飛散した粉塵が僅かな隙間を通じて居住空間に入り込んでしまう。
また、工事空間を区画するにあたっては、できるだけ居住空間を広く確保するべく、工事空間の区画を僅かな空間に抑えることが望ましいが、同文献１に開示されている考案のような、天井や壁に貼着した面ファスナーや磁石によって区画する方法では、区画する工事空間が広くなりすぎて、居住者が日常生活を送れるほどの広い居住空間を確保することができない。
さらに、工事期間中は、斫り作業によって大きな騒音が発生するが、可撓性の仮設間仕切りシートでは遮音性を期待できない。
【０００６】
そこで、本発明は、サッシの取り替え工事の際に、工事期間中も居住者が日常生活を送れるように、居住空間に塵や埃が入り込まないように建物内から工事空間を密閉養生するためのサッシ取替施工時における居住空間への粉塵侵入防止構造体及びこれを用いたサッシ取替え防音防塵工法を提供することを課題とする。
【課題を解決するための手段】
【０００７】
上記課題を解決するため、本発明においては、次の技術的手段を講じている。
【０００８】
本発明の粉塵侵入防止構造体は、
サッシ取替施工時に、居住空間に塵や埃が入り込まないようにサッシが取り付けられている壁面の工事空間を建物内から密閉養生するための粉塵侵入防止構造体であって、
当該構造体は、
床板と、床板上に立設される左右の側板と、両側板の上端に架け渡して載置した天板と、からなる枠体と、
枠体の居住空間側の開口部分を塞いで居住空間に塵や埃が入り込まないようにする平板と、
によって構成されている
ことを特徴とする。
【０００９】
平板は、一枚の板でも良いし、複数枚の板でも良い。
複数枚の場合は、大きさが同じ板でも良いし、異なる大きさの板でも良い。
特に複数枚の平板によって開口部分を塞ぐ場合、平板同士の切れ目をテープなどで留めることが望ましい。
これによって、密閉性を高め、僅かな隙間を通じて、居住空間内に塵や埃が侵入することを防ぐことができる。
上記の平板に関する説明は、後記する本発明の平板について、全て同じである。
【００１０】
枠体及び平板は、木材でも良いし、アルミ、プラスチックなど、どのような材質でも使用できる。
上記の枠体及び平板に関する説明は、後記する本発明の枠体、平板について、全て同じである。
【００１１】
本発明の粉塵侵入防止構造体は、
サッシ取替施工時に、居住空間に塵や埃が入り込まないようにサッシが取り付けられている壁面の工事空間を建物内から密閉養生するための粉塵侵入防止構造体であって、
当該構造体は、
床板と、床板上に立設される左右の側板と、両側板の上端に架け渡して載置した天板と、からなる枠体と、
枠体の居住空間側の開口部分を塞いで居住空間に塵や埃が入り込まないようにする平板と、
によって構成されており、
壁面と枠体、枠体と平板、の各接合部分に、密閉性を高めるためのシール材が取り付けられている
ことを特徴とする。
【００１２】
シール材は、密閉性を高めることができるものであれば、どのようなものでも使用できる。
例えば、簡易な材料として、スポンジ状の隙間テープが挙げられる。
隙間テープは、床板、左右の側板、天板のそれぞれについて、壁面側及び居住空間側に取り付けることができる。
また、隙間テープ以外では、壁面に枠体を設置したあと、壁面と枠体の隙間をテープで留めることもできる。
この場合、枠体に平板を取り付けたあと、枠体と平板の接合部分をテープで留める。
その他、シーリング材（コーキング材）を用いることもできる。
シール材は、構造体を設置したあとに取り付けることもできるし（特にシーリング材を用いる場合）、予め枠体の各部材（床板、側板、天板）に取り付けておくこともできる。
上記のシール材に関する説明は、後記する本発明のシール材について、全て同じである。
【００１３】
本発明の粉塵侵入防止構造体は、
前記の床板は、床面側に、構造体の移設を容易にするためのキャスターが取り付けられている
ことを特徴とする。
【００１４】
構造体は、通常、取替工事の着手前に設置するものであるが、工事中に斫り作業の範囲が広がり、最初に想定した工事空間が拡大する場合もある。
その場合、構造体を移動して、工事空間の密閉性を保ったまま構造体を移設できる。
キャスターは、床板に取り付けられるものであれば、どのようなものでも使用できる。
上記のキャスターに関する説明は、後記する本発明のキャスターについて、全て同じである。
【００１５】
本発明の粉塵侵入防止構造体を用いたサッシ取替え防音防塵工法は、
サッシ下の床部分に床板を敷設し、
床板上に左右の側板を立設し、
両側板の上端に架け渡すように天板を載置することで、
サッシが取り付けられている壁面に枠体を隙間無く設置する工程と、
枠体の居住空間側の開口部分を平板で塞ぐ工程と、
からなることを特徴とする。
【００１６】
平板同士の隙間を塞ぐテープで留める工程は、適宜行うことができる。
また、シール材は、構造体を設置した工程のあとに取り付けることもできるし（特にシーリング材を用いる場合）、予め枠体の各部材（床板、側板、天板）に取り付けておくこともできる。
上記のテープで留める工程やシール材の取り付け工程は、後記する本発明のサッシ取替え防音防塵工法についても同じである。
【００１７】
本発明の粉塵侵入防止構造体を用いたサッシ取替え防音防塵工法は、
床板と、床板上に立設する左右の側板と、両側板の上端に架け渡すように載置する天板の
壁面側及び居住空間側に、密閉性を高めるためのシール材を取り付ける工程と、
サッシ下の床部分に床板を敷設し、
床板上に左右の側板を立設し、
両側板の上端に架け渡すように天板を載置することで、
サッシが取り付けられている壁面に枠体を隙間無く設置する工程と、
枠体の居住空間側の開口部分を平板で塞ぐ工程と、
からなることを特徴とする。
【発明の効果】
【００１８】
１）工事期間中、居住空間に塵や埃が入り込まないようにサッシを取り替えることができる。
２）工事中の埃や塵によって部屋が汚れてしまう範囲を、僅かな工事空間内に留め、居住空間に及ぼさないようにすることができる。
３）工事期間中でも、工事をしている部屋で日常生活を送ることができる。
４）工事期間中の騒音を、ビニールシートなどと比較して大幅に遮音できる。
５）簡単な構造によって工事空間を密閉することができ、他の工事場所にも移設して使用できる。
【図面の簡単な説明】
【００１９】
【図１】枠体によって構成される粉塵侵入防止構造体を壁面に設置した状態の一例を示す斜視図
【図２】枠体と平板によって構成される粉塵侵入防止構造体を壁面に設置し、工事空間を密閉養生した状態の一例を示す斜視図
【発明を実施するための形態】
【００２０】
図１は、枠体によって構成される粉塵侵入防止構造体を壁面に設置した状態の一例を示す斜視図である。
粉塵侵入防止構造体は、床板１と、床板１上に立設される左右の側板２と、両側板２の上端に架け渡して載置した天板３と、からなる枠体によって構成される。
構造体の設置位置は、サッシが取り付けられている壁面の工事範囲（斫り作業を行う範囲）を完全に囲うことができる位置である。
したがって、サッシが大きいなどの理由で工事範囲が拡大する場合は、それに合わせて枠体の各部材（床板１、側板２、天板３）を長いものにし、構造体を大きくして、工事範囲（斫り作業を行う範囲）を完全に囲うようにする。
【００２１】
図２は、枠体と平板によって構成される粉塵侵入防止構造体を壁面に設置し、工事空間を密閉養生した状態の一例を示す斜視図である。
枠体によって作られた居住空間側の開口部分を平板４で塞いでいる。
これによって、居住空間に塵や埃が入り込まないように密閉養生することができる。
【００２２】
上記したように、サッシが大きいなどの理由で工事範囲が拡大する場合は、それに合わせて枠体の各部材（床板１、側板２、天板３）を長いものにし、構造体を大きくする必要があるが、それによって開口部分が大きくなる場合、１枚の平板で塞ぐことができない場合がある。
このような場合でも、複数枚の平板を使用することで、開口部分を塞ぐことができる。
複数枚の平板によって開口部分を塞ぐ場合は、大きさが同じ板を使用することもできるし、異なる大きさの板を使用することもできる。
特に複数枚の平板によって開口部分を塞ぐ場合、平板同士の切れ目をテープなどで留めることが望ましい。
これによって、密閉性を高め、僅かな隙間を通じて、居住空間内に塵や埃が侵入することを防ぐことができる。
平板４を枠体へ取り付ける方法は、工事期間中、密閉性を維持できればどのような方法でも使用でき、例えば、釘やビスなどを使用することができる。
枠体及び平板４は、木材でも良いし、アルミ、プラスチックなど、どのような材質でも使用できる。
【００２３】
壁面と枠体、枠体と平板４、の各接合部分には、密閉性を高めるためのシール材が取り付けることができる。
シール材は、密閉性を高めることができるものであれば、どのようなものでも使用できる。
例えば、簡易な材料として、スポンジ状の隙間テープが挙げられる。
隙間テープは、床板１、左右の側板２、天板３のそれぞれについて、壁面側及び居住空間側に取り付けることができる。
また、隙間テープ以外では、壁面に枠体を設置したあと、壁面と枠体の隙間をテープで留めることもできる。
この場合、枠体に平板４を取り付けたあと、枠体と平板４の接合部分をテープで留める。
その他、シーリング材（コーキング材）を用いることもできる。
シール材は、構造体を設置したあとに取り付けることもできるし（特にシーリング材を用いる場合）、予め枠体の各部材（床板１、側板２、天板３）に取り付けておくこともできる。
【００２４】
また、粉塵侵入防止構造体の床板１には、床面側に、構造体の移設を容易にするためのキャスターを取り付けることができる。
キャスターは、床板１に取り付けられるものであれば、どのようなものでも使用できる。
構造体は、通常、取替工事の着手前に設置するものであるが、工事中に斫り作業の範囲が広がり、最初に想定した工事空間が拡大する場合もあるが、構造体を移動することで、工事空間の密閉性を保ったまま構造体を移設できる。
【００２５】
本発明に係る粉塵侵入防止構造体の設置方法は、次の工程によって行う。
まず、サッシ下の床部分に、壁面に接するように床板１を敷設する。
そして、床板１上に左右の側板２を立設し、両側板２の上端に架け渡すように天板３を載置する。
これによって、枠体が完成し、図１の状態になる。
その後、枠体の居住空間側の開口部分を平板４で塞ぐ。
これによって、粉塵侵入防止構造体が完成し、図２の状態になる。
平板４は、複数枚使用することもできる。
複数枚の平板によって開口部分を塞ぐ場合は、大きさが同じ板を使用することもできるし、異なる大きさの板を使用することもできる。
特に複数枚の平板によって開口部分を塞ぐ場合、平板同士の切れ目をテープなどで留めることが望ましい。
これによって、密閉性を高め、僅かな隙間を通じて、居住空間内に塵や埃が侵入することを防ぐことができる。
平板４を枠体へ取り付ける方法は、工事期間中、密閉性を維持できればどのような方法でも使用でき、例えば、釘やビスなどを使用することができる。
【００２６】
なお、枠体の各部材（床板１、側板２、天板３）の壁面側及び居住空間側に、密閉性を高めるためのシール材を取り付けることもできる。
シール材は、構造体を設置したあとに取り付けることもできるし（特にシーリング材を用いる場合）、予め枠体の各部材（床板１、側板２、天板３）に取り付けておくこともできる。
シール材は、密閉性を高めることができるものであれば、どのようなものでも使用できる。
例えば、簡易な材料として、スポンジ状の隙間テープが挙げられる。
隙間テープは、床板１、左右の側板２、天板３のそれぞれについて、壁面側及び居住空間側に取り付けることができる。
また、隙間テープ以外では、壁面に枠体を設置したあと、壁面と枠体の隙間をテープで留めることもできる。
この場合、枠体に平板４を取り付けたあと、枠体と平板４の接合部分をテープで留める。
その他、シーリング材（コーキング材）を用いることもできる。
【００２７】
以上の方法で設置した粉塵侵入防止構造体を用いることで、サッシの取り替え工事の際に、居住空間に塵や埃が入り込まないように建物内から工事空間を密閉養生することができる。
【図１】
2014152494.tif 000003
【図２】
2014152494.tif 000004